(57)【要約】【課題】  取り込んだ紙幣を紙幣搬送手段によって紙幣待機部までに搬送する際に、紙幣搬送手段内で紙幣が紙幣搬送手段の一部に引っ掛かり、紙幣の搬送を阻害したり、紙幣を損傷させたりすることなく、紙幣を確実に紙幣待機部に搬送することができる紙幣処理装置を提供する。【解決手段】前記紙幣取り込手段により、紙幣搬送側筐体に対して略垂直に取り込まれた紙幣を水平方向に搬送する巻き込み搬送機構と、前記巻き込み搬送機構により水平方向に方向転換された紙幣を収納待機部まで搬送する水平搬送機構とを備え、ガイド片と紙幣押圧部の上下端縁を略同一平行端面に形成されたスタッカープレートを該平行端面が前記駆動側軸プーリと従動側軸プーリとの上下間に、前記プーリと僅かに離間して、かつ、平行に配設したものである。【選択図】  図５
2008129753.tif 000002
【特許請求の範囲】
【請求項１】
紙幣搬送装置により起立状態で搬送された紙幣を取り込む為の紙幣取り込手段と、前記紙幣取り込手段を介して取り込まれた紙幣を収納待機部まで搬送する紙幣搬送手段と、前記収納待機部に待機されている紙幣を紙幣収納部に押し出すスタッカーと、前記紙幣取り込手段と紙幣搬送手段とスタッカーを収納するとともに、前記収納待機部を画成した紙幣搬送側筐体と、前記スタッカーにより押し出された紙幣を積層収納する紙幣収納部を画成した収納部側筐体と、前記紙幣搬送側筐体と収納部側筐体とを連通接続する開口枠を有する紙幣処理装置であって、
前記紙幣搬送手段は、前記紙幣取り込手段により紙幣搬送側筐体に取り込まれた紙幣を前記収納待機部に向けて方向転換する巻き込み搬送機構と、該巻き込み搬送機構により方向転換された紙幣を前記収納待機部まで搬送する水平搬送機構とを備え、
該水平搬送機構は、前記紙幣取り込手段からの駆動伝達により回転する駆動側軸と、該駆動側軸と離間して配置された従動側軸と、該駆動側軸の上下端部にそれぞれ固定された駆動側軸プーリと前記従動側軸の上下端部にそれぞれ固定された従動側軸プーリとの間に巻架された水平ベルトより構成され、
前記スタッカーは、紙幣と相似形状の紙幣押圧部と前記巻き込み搬送機構から搬送された紙幣を前記紙幣押圧部前方の水平ベルト上に導くガイド片を有するスタッカープレートと、該スタッカープレートを往復動させるリンク機構とを備え、
前記ガイド片は、前記紙幣押圧部の搬送方向上流側の上下端部に略同一平面に形成され、上下の前記駆動側軸プーリ間に前記駆動側軸プーリと僅かに離間して平行に配設された
ことを特徴とする紙幣処理装置。
【請求項２】
前記スタッカープレートに形成されたガイド片に、前記駆動側軸プーリより前記巻き込み搬送機構側で、かつスタッカープレート裏面側に折曲された折曲片を一体的に形成するとともに、該折曲片で前記駆動側軸の巻き込み搬送機構側を遮蔽した
ことを特徴とする請求項1項記載の紙幣処理装置。
【請求項３】
前記収納待機部は、前記スタッカープレートと前記開口枠との間に画成されており、前記開口枠の上下端縁には、開口側が短辺で互いに対向突出する台形状の紙幣支持片が形成され、かつ下側の前記紙幣支持片の上下高さを上側の前記紙幣支持片の上下高さより高くした
ことを特徴とする請求項1項ならびに２項記載の紙幣処理装置。
【請求項４】
前記収納待機部は、前記従動側軸側プーリの先まで延設され、前記従動側軸の軸部を遮蔽する遮蔽部を有するストッパーガイドを備え、該ストッパーガイドの遮蔽部を紙幣の搬送方向に開いた傾斜面に形成し、前記スタッカープレートの搬送方向後端部と前記ストッパーガイドの傾斜部が連続的に連なるようにした
ことを特徴とする請求項1項〜請求項３項記載の紙幣処理装置。
【請求項５】
前記水平搬送機構の水平ベルトは、前記スタッカープレートが最後方に退いた状態では、前記スタッカープレートより僅かに前方に位置するように前記駆動側軸と従動側軸間に巻架されている
ことを特徴とする請求項1項〜請求項４項記載の紙幣処理装置。
【発明の詳細な説明】
【技術分野】
【０００１】
本発明は、起立状態で搬送された紙幣を収納する紙幣処理装置、特に、パチンコ玉貸機、メタル貸機などに内設又は、近設された紙幣識別装置などに、紙幣を起立状態で投入して、その状態で紙幣搬送装置にて搬送して、起立状態のまま紙幣収納部に積層収納する紙幣処理装置に関する。
【背景技術】
【０００２】
一般にパチンコ機、スロットマシンなどの遊技機では、隣設する遊技機間に遊技媒体貸機を配設して、それらを複数並設して遊技機島を構築している。そして、この遊技機島に配設されている遊技媒体貸機に内設されたり、あるいはそれらに近設されたりして、遊技者が投入した紙幣を識別して紙幣搬送装置に送り込む紙幣識別装置が設けられている。これにより、遊技者は、遊技を行なっている。そして、この投入された紙幣は、紙幣搬送装置を介して遊技機島の端部に配設された紙幣処理装置に取り込まれ、収納される。この方法に於いては、遊技機島のスペースの関係上、遊技機島の奥行が大きく取れないこともあって、投入された紙幣を起立した状態で紙幣搬送装置により搬送することが多かった。従って、遊技機島の端部に配設された紙幣処理装置にも紙幣を起立した状態で取り込み収納する構造が取られていた。
【０００３】
たとえば、特許第３２７８３１８号公報では、起立して搬送されてきた紙幣類を紙幣類移送部と紙幣類後端回避機構の動作によって紙幣類待機部に導き、紙幣類待機部に一時待機させたのちに待機した紙幣類を出入自在の紙幣類押出部の押出動作により押し出して、起立積層状態で紙幣類収納部に順次収納させる構成を具備した紙幣類収納装置が開示されている。この先行技術に開示されている紙幣移送部４０（以下、先行技術については、その明細書中に記載されている名称と符号を引用した。）では、押さえプーリ２４ａ、２４ｂとこの押さえプーリ２４ａ、２４ｂ間の巻架されている上下２本の送りベルト２２ａ、２２ｂを備えられている。一方、押さえプーリ２４ａ、２４ｂと上下２本の送りベルト２２ａ、２２ｂの間には、開口枠２１よりも小さく形成された紙幣類押出板３１が配設されている。この紙幣類押出板３１は、長矩形の板状を成していて、紙幣類後端回避機構５側に櫛形を成す一対のガイド片（符号なし）を延設している。そしてこのガイド片（符号なし）は、紙幣類押出板３１の上下端縁を切り欠いて、その切り欠き空間に押さえプーリ２４ａ、２４ｂを配設している。この押さえプーリ２４ａ、２４ｂと上下２本の送りベルト２２ａ、２２ｂならびに紙幣類押出板３１との関係は、一般的には、図７に示されているように、（明細書中には、周知の技術のため、特に説明されていないが、）紙幣の幅に対応するように、上下方向の幅が設定されている。すなわち、送りベルト２２ａ、２２ｂが紙幣の上下の端縁に当たるように設定されている。そして、この押さえプーリ２４ａ、２４ｂは、紙幣類後端回避機構５の回避ローラ５ｂ及び５ｃとの位置関係から、前述のように、紙幣類押出板３１の上下端縁を切り欠いた空間に配設されている。同時に、櫛形に延設されたガイド片（符号なし）の間に画成された切り欠き内にセンタプーリ４１ａを配置している。そして、押さえプーリ２４ａ、２４ｂならびに回避ローラ５ｂ及び５ｃを固着した軸（符号なし）を各々、筐体（符号なし）に軸止している。
【０００４】
一方、紙幣識別装置などの紙幣投入口は、一般的には、遊技者が起立した状態で紙幣を投入し易いように、上下方向に余裕を持って形成されている。このために、紙幣識別装置を経由して紙幣搬送装置に投入された紙幣は、上下方向に対して、水平に搬送されるより、傾斜して搬送される場合の方が多かった。このような状態で搬送されても、紙幣類搬送入口４８に取り込むことができるように、紙幣類搬送入口４８自体も上下方向に余裕を待たせて形成される傾向にあった。ところが、開示されている従来の技術にあっては、紙幣が紙幣搬送装置から紙幣類搬送入口４８に起立しその面内で水平状態で搬送されれば、特に問題はないが、傾斜状態で紙幣移送部４０に搬送されてきた場合には、その状態で紙幣類待機部２０に送り込まれることになる。
【０００５】
このように、紙幣が起立しているがその起立面内で傾斜状態で紙幣移送部４０に送り込まれた場合、紙幣の角部が押さえプーリ２４ａ、２４ｂと、押さえプーリ２４ａ、２４ｂを配設しているところの紙幣類押出板３１の上下端縁を切り欠いた空間部分との間に生じた隙間に引っ掛かり紙幣の搬送を阻害したり、紙幣を損傷させたりする場合が有った。しかも、この押さえプーリ２４ａ、２４ｂは、紙幣を連れ回りさせる方向に回転しているため、事態をより悪条件化させる要因となる恐れがあった。
【０００６】
この出願の発明に関連する先行技術文献としては次のものがある。
【特許文献１】特許第３２７８３１８号公報
【発明の開示】
【発明が解決しようとする課題】
【０００７】
本発明は、上記の従来の技術が有する問題を解決するためになされたものであり、その目的は、取り込んだ紙幣を紙幣搬送手段によって紙幣待機部までに搬送する際に、紙幣搬送手段内で紙幣が紙幣搬送手段の一部に引っ掛かり、紙幣の搬送を阻害したり、紙幣を損傷させたりすることがなく、紙幣を確実に紙幣待機部に搬送することができる紙幣処理装置を提供するものである。
【課題を解決するための手段】
【０００８】
上記課題を解決するため、本発明においては、紙幣搬送装置により起立状態で搬送された紙幣を取り込む為の紙幣取り込手段と、前記紙幣取り込手段を介して取り込まれた紙幣を収納待機部まで搬送する紙幣搬送手段と、前記収納待機部に待機されている紙幣を紙幣収納部に押し出すスタッカーと、前記紙幣取り込手段と紙幣搬送手段とスタッカーを収納するとともに、前記収納待機部を画成した紙幣搬送側筐体と、前記スタッカーにより押し出された紙幣を積層収納する紙幣収納部を画成した収納部側筐体と、前記紙幣搬送側筐体と収納部側筐体とを連通接続する開口枠を有する紙幣処理装置であって、前記紙幣搬送手段は、前記紙幣取り込手段により紙幣搬送側筐体に取り込まれた紙幣を前記収納待機部に向けて方向転換する巻き込み搬送機構と、該巻き込み搬送機構により方向転換された紙幣を前記収納待機部まで搬送する水平搬送機構とを備え、該水平搬送機構は、前記紙幣取り込手段からの駆動伝達により回転する駆動側軸と、該駆動側軸と離間して配置された従動側軸と、該駆動側軸の上下端部にそれぞれ固定された駆動側軸プーリと前記従動側軸の上下端部にそれぞれ固定された従動側軸プーリとの間に巻架された水平ベルトより構成され、
前記スタッカーは、紙幣と相似形状の紙幣押圧部と前記巻き込み搬送機構から搬送された紙幣を前記紙幣押圧部前方の水平ベルト上に導くガイド片を有するスタッカープレートと、該スタッカープレートを往復動させるリンク機構とを備え、前記ガイド片は、前記紙幣押圧部の搬送方向上流側の上下端部に略同一平面に形成され、上下の前記駆動側軸プーリ間に前記駆動側軸プーリと僅かに離間して平行に配設されたものである。
【０００９】
上記のように構成することにより、駆動側軸の上下端部に固着された駆動側軸プーリと、スタッカープレートの上下端縁との間に、紙幣の搬送方向に隙間が生じることがないので、紙幣が傾斜して紙幣搬送機構に取り込まれた場合で、紙幣の角部や折曲がった部分が駆動側軸プーリと連れ回りして駆動側軸プーリとスタッカープレートとの間に引っ掛かり、紙幣の搬送を阻害したり、紙幣を損傷させたりするような事態が生ずることが少なく、しかも紙幣を正しく水平ベルト上に導くことができる。
【００１０】
次の発明は、前記スタッカープレートに形成されたガイド片に、前記駆動側軸プーリより前記巻き込み搬送機構側で、かつスタッカープレート裏面側に折曲された折曲片を一体的に形成するとともに、該折曲片で前記駆動側軸の巻き込み搬送機構側を遮蔽したものである。
【００１１】
上記のように構成することにより、紙幣が駆動側軸プーリ又は駆動ベルトプーリの側方に衝突して、スタッカープレートと駆動側軸プーリ又は駆動ベルトプーリとの間に巻き込まれ、紙幣が紙幣搬送手段内部に詰まったり、紙幣を損傷させたりする事態を減少させることができる。
【００１２】
次の発明は、前記収納待機部は、前記スタッカープレートと前記開口枠との間に画成されており、前記開口枠の上下端縁には、開口側が短辺で互いに対向突出する台形状の紙幣支持片が形成され、かつ下側の前記紙幣支持片の上下高さを上側の前記紙幣支持片の上下高さより高くしたものである。
【００１３】
上記のように構成することにより、紙幣が、水平搬送機構により、傾斜して紙幣の先端や後端が浮いた状態で収納待機部に搬送された場合であっても、紙幣の浮いた方の端部が紙幣収納部側に入りこみ、収納部側筐体などに引っ掛かり、スタッカーの作動時に紙幣を損傷したりするようなことが生じる恐れがなくなる。
【００１４】
次の発明は、前記収納待機部は、前記従動側軸側プーリの先まで延設され、前記従動側軸の軸部を遮蔽する遮蔽部を有するストッパーガイドを備え、該ストッパーガイドの遮蔽部を紙幣の搬送方向に開いた傾斜面に形成し、前記スタッカープレートの搬送方向後端部と前記ストッパーガイドの遮蔽部が連続的に連なるようにしたものである。
【００１５】
上記のように構成することにより、紙幣が水平搬送機構によって搬送され、従動側軸より、スタッカープレートの先端方向にオーバランしても、紙幣が従動側軸に固着された従動側軸プーリに連れ回りして、スタッカープレートの裏面方向に入り込むことがなく、遮蔽部に形成された傾斜面に沿って開口枠側に移動し、確実に収納待機部内に保持され、スタッカーの作動により、紙幣収納部に押し込まれる。
【００１６】
次の発明は、前記水平搬送機構の水平ベルトは、前記スタッカープレートが最後方に退いた状態では、前記スタッカープレートより僅かに前方に位置するように前記駆動側軸と従動側軸間に巻架されているものである。
【００１７】
上記のように構成することにより、紙幣が水平搬送機構によって搬送されるときに、紙幣とスタッカープレートが直接接触する部分が少なくなり、紙幣の折曲された部分などが各軸部とスタッカープレート間に引き込まれることも少なくなり、かつ、紙幣とスタッカープレートとの摩擦抵抗も減少するので、紙幣の搬送がスムースに行なわれる。
【発明の効果】
【００１８】
以上のように、本発明によれば、紙幣搬送装置により起立状態で搬送された紙幣を取り込む為の紙幣取り込手段と、前記紙幣取り込手段を介して取り込まれた紙幣を収納待機部まで搬送する紙幣搬送手段と、前記収納待機部に待機されている紙幣を紙幣収納部に押し出すスタッカーと、前記紙幣取り込手段と紙幣搬送手段とスタッカーを収納するとともに、前記収納待機部を画成した紙幣搬送側筐体と、前記スタッカーにより押し出された紙幣を積層収納する紙幣収納部を画成した収納部側筐体と、前記紙幣搬送側筐体と収納部側筐体とを連通接続する開口枠を有する紙幣処理装置であって、前記紙幣搬送手段は、前記紙幣取り込手段により紙幣搬送側筐体に取り込まれた紙幣を前記収納待機部に向けて方向転換する巻き込み搬送機構と、該巻き込み搬送機構により方向転換された紙幣を前記収納待機部まで搬送する水平搬送機構とを備え、該水平搬送機構は、前記紙幣取り込手段からの駆動伝達により回転する駆動側軸と、該駆動側軸と離間して配置された従動側軸と、該駆動側軸の上下端部にそれぞれ固定された駆動側軸プーリと前記従動側軸の上下端部にそれぞれ固定された従動側軸プーリとの間に巻架された水平ベルトより構成され、前記スタッカーは、紙幣と相似形状の紙幣押圧部と前記巻き込み搬送機構から搬送された紙幣を前記紙幣押圧部前方の水平ベルト上に導くガイド片を有するスタッカープレートと、該スタッカープレートを往復動させるリンク機構とを備え、前記ガイド片は、前記紙幣押圧部の搬送方向上流側の上下端部に略同一平面に形成され、上下の前記駆動側軸プーリ間に前記駆動側軸プーリと僅かに離間して平行に配設されたことにより、駆動側軸の上下端部に固着された駆動側軸プーリと、スタッカープレートの上下端縁との間に、紙幣の搬送方向に隙間が生じることがないので、紙幣が傾斜して紙幣搬送機構に取り込まれた場合であっても、紙幣の角部や折曲がった部分が駆動側軸プーリと連れ回りして駆動側軸プーリとスタッカープレートとの間に引っ掛かり、紙幣の搬送を阻害したり、紙幣を損傷させたりするような事態が生ずることがなく、しかも紙幣を正しく水平ベルト上に導くことができる。
【発明を実施するための最良の形態】
【００１９】
以下、本発明を実施するための最良の形態を、図面に基づいて説明する。図１は、本発明の紙幣処理装置の正面図、図２は、本発明の上面図、図３は、図１の右側面図、図４は、本発明の要部を示した正面図、図５は、同上面図、図６は、同右側面図、図７（ａ）〜（ｃ）は、スタッカープレートを示したもので、（ａ）は、正面図、（ｂ）は、同上面図、（ｃ）は、同右側面図、図８は、スタッカーを示した概略斜視図、図９は、本発明の紙幣処理装置の取付け状態を示した概略説明図である。
【００２０】
本発明の紙幣処理装置１００は、図９に示すように、遊技機島９の端部に配設されている。この遊技機島９は、並設された遊技機９１と、この並設された遊技機９１との間に配設された遊技媒体貸機９２と、それらの遊技機９１，９１と遊技媒体貸機９２の上方に架設されている紙幣搬送装置９３とで構成されている。そして、紙幣Ｍは、遊技媒体貸機９２に内設された、あるいは紙幣搬送装置９３に配設されている紙幣識別装置９４（または、ビルバリなど）から投入されてから紙幣搬送装置９３で搬送されて遊技機島９の端部に配設された本発明の紙幣処理装置１００の内部に積層収容される。また、この紙幣処理装置１００は、一般的には、遊技機島の端部に配設されたカバー９５の内部に収納されている。
【００２１】
この紙幣処理装置１００は、大きくは、２個の筐体、即ち、紙幣搬送側筐体Ａと収納部側筐体Ｂならびに各々の筐体に設けられた手段、機構類と、紙幣搬送側筐体Ａと収納部側筐体Ｂの接続部に形成された開口枠５とで構成されている。
【００２２】
紙幣搬送側筐体Ａは、全体として横長の矩形箱形状に構成されている。（尚、前後、左右とは、図２の紙面に対して、上方向を後方、下方向を前方、左右は、紙面に向かってそれぞれ左、右とする。また、上下とは、図１に向かってそれぞれ上、下とする。）そして、この紙幣搬送側筐体Ａの内部に紙幣取り込手段１と紙幣搬送手段である巻き込み搬送機構２と水平搬送機構３ならびにスタッカー６が配設され、かつ収納待機部４が画成されている。具体的には、この紙幣搬送側筐体Ａは、後板ａ１と天板ａ２と底板ａ３と左側板ａ４と右側板ａ５ならびに前板ａ６とを有する横長の矩形箱形状をなしていて、前板ａ６の一部（長手方向３／４ほど）を後板ａ１側に落とし込んで収納部側筐体Ｂとの接続部を形成している。この接続部分が後述する開口枠５に相当する。
【００２３】
以下、各構成部分について詳述する。紙幣取り込手段１は、紙幣搬送側筐体Ａの後板ａ１の左側に上下方向に取り付けられた紙幣取入口１１と、紙幣Ｍを引き込むための引き込みローラ１２と、この引き込みローラ１２を取り付けた軸１３と、紙幣取入口１１から起立した状態で搬送された紙幣Ｍを引き込みガイドする紙幣取込みガイド１４ならびに紙幣ガイド１５と、この紙幣ガイド１５に前述の引き込みローラ１２に対向して配設されたガイドローラ１６とで構成されている。また、前述の引き込みローラ１２は、紙幣搬送側筐体Ａの天板ａ２と底板ａ３とに回転可能に軸止されている。また、紙幣搬送手段は、巻き込み搬送機構２と水平搬送機構３とで構成されている。
【００２４】
この巻き込み搬送機構２は、紙幣取入口１１から起立した状態で、かつ、後板ａ１に対して垂直方向に引き込まれた紙幣Ｍを水平方向（水平搬送機構３と平行な方向）に変換させ、水平搬送機構３に送り込むもので、駆動伝達軸２１と紙幣送り軸２２ならびに巻き込みベルト２３より構成されている。
【００２５】
駆動伝達軸２１は、下端を底板ａ３から収納部側筐体Ｂ側に貫通させ、その先端に駆動モータ（図示しない）とベルトで連結されるモータプーリ２１ａを固着するとともに、上端を天板ａ１に軸止している。そして、軸の中央部分には、駆動伝達プーリ２１ｂが固着されている。
【００２６】
紙幣送り軸２２は、下端を底板ａ３に、上端を天板ａ１に軸止されている。そして、軸の上下両端に紙送りガイドローラ２２ａを固着するとともに、中央部分に紙送りローラ２２ｂを取り付けている。また、巻き込みベルト２３は、上記の駆動伝達プーリ２１ｂと紙送りローラ２２ｂならびに後述する水平搬送機構３の駆動側軸３１に固着されている駆動ベルトプーリ３１ｂとの間に巻架されている。尚、本実施例では、紙送りローラ２２ｂの外周を平坦面で形成しているが、歯車状に形成し、紙幣の食い込みを向上させることもできる。
【００２７】
一方、水平搬送機構３は、駆動側軸３１と従動側軸３２と水平ベルト３３より構成されている。そして、この駆動側軸３１の上下の両端には、駆動側軸プーリ３１ａが固着され、中央部分に駆動ベルトプーリ３１ｂが取り付けられている。また、従動側軸３２の上下両端には、従動側軸プーリ３２ａが固着されている。そして、この駆動側軸３１と従動側軸３２は、開口枠５の両端に対向する位置に、各々下端を底板ａ３に、上端を天板ａ１に軸止して取り付けられている。また、前述の水平ベルト３３は、駆動側軸プーリ３１ａと従動側軸プーリ３２ａに上下各々に各１本、合計２本巻架されている。この上下に巻架された水平ベルト３３の間を後述するスタッカー６のスタッカープレート６１が出入する。
【００２８】
次に、紙幣取り込手段１と紙幣搬送手段２を構成している各軸の紙幣搬送側筐体Ａ内部での配置関係を説明する。引き込みローラ１２を固着した軸１３は、紙幣取入口１１の入口近傍に軸止され、巻き込み搬送機構２の駆動伝達軸２１は、左端部に軸止されている。そして、水平搬送機構３の駆動側軸３１は、前述したように開口枠５の左側端部に対向する位置に軸止されている、即ち、それらの軸は、図２に示すように３角の各々頂点に配置されている。これらの軸の間には、巻き込みベルト２３が巻架されていて、駆動モータ（図示しない）の回転を駆動伝達軸２１に伝え、駆動伝達軸２１を回転させて、巻き込みベルト２３を前述の軸間で回転させる。そして、巻き込みベルト２３によって紙幣を搬送している。また、紙幣送り軸２２は、駆動伝達軸２１と駆動側軸３１との中間部分で駆動伝達軸２１と駆動側軸３１とは、巻き込みベルト２３を挟んで反対側に位置するように軸止されている。このとき、紙送りローラ２２ｂで駆動伝達軸２１と駆動側軸３１の間の巻き込みベルト２３を後方に撓ませるように紙幣送り軸２２を配置する。
【００２９】
収納待機部４は、水平搬送機構３と前板ａ６の一部（長手方向３／４ほど）を後板ａ１側に落とし込んで収納部側筐体Ｂとの接続部として形成された開口枠５との間に画成されている。この収納待機部４を画成している水平搬送機構３と開口枠５との間隔は、紙幣が一定数重なることができる程度、例えば、１０〜２０枚程度待機できる間隔に設定されている。なぜなら、紙幣が連続して搬送されたり、重なって搬送されたりしたときにはスタッカー６を作動させずに、次の紙幣Ｍと搬送の間隔ができたときにスタッカー６を作動させるようにして、紙幣Ｍの搬送時間、間隔とスタッカー６の作動間隔が対応することができるように一定時間紙幣を収納待機できるようにしてある。
【００３０】
この収納待機部４の先端側（水平搬送機構３の従動側軸３２側）端部には、ストッパーガイド４１が取り付けられている。このストッパーガイド４１は、縦長の金属性平板の一端を斜め後方に折曲して形成した遮蔽部４１ａと反対側端面を前方に直角に折曲して形成した取付部４１ｂとを有している。また、縦長の寸法は、水平搬送機構３の従動側軸３２の上下に固着した従動側軸プーリ３２ａ、従動側軸プーリ３２ａ間に収まる程度に設定されている。そして、遮蔽部４１ａが従動側軸３２の従動側軸プーリ３２ａ、従動側軸プーリ３２ａ間の軸部を遮蔽するようにスタッカープレート６１の端縁側まで延びるようにして取付部４１ｂで紙幣搬送側筐体Ａの右側板ａ５の内側に固着されている。
【００３１】
そして、このストッパーガイド４１の前後方向の位置関係は、スタッカープレート６１が定位置（一番後方に位置している状態）にあるときに、ストッパーガイド４１の平板部分とスタッカープレート６１の紙幣押圧部６２とが略同位置面となるように設置されている。そして、スタッカープレート６１の端縁とストッパーガイド４１の傾斜面とは、若干の隙間を持って対向している。即ち、スタッカープレート６１の端縁とストッパーガイド４１の傾斜面とが連続的に連なっていることになる。このため、紙幣が水平搬送機構３によって搬送され、従動側軸３２より、スタッカープレート６１の先端方向にオーバランしても、紙幣が従動側軸３２に固着された従動側軸プーリ３２ａに連れ回りして、スタッカープレート６１の裏面方向に入り込むことなく、遮蔽部４１ａに形成された傾斜面に沿って、開口枠５側に移動し、確実に収納待機部４内に保持され、その後、スタッカー６の作動により、紙幣収納部７に押し込まれる。
【００３２】
開口枠５は、前述したように、紙幣搬送側筐体Ａの前板ａ６の一部（長手方向３／４ほど）を後板ａ１側に落とし込んで形成した収納部側筐体Ｂとの接続部に開口しているスタッカープレート６１の通過口と、収納部側筐体Ｂのこの接続部に面する部分に開口したスタッカー６の通過口を形成している周囲枠部分で構成されている。そして、この開口枠５に上下の枠縁には、互いに対向するようにして、紙幣支持片５１、５２が設けられている。即ち、この紙幣支持片５１，５２は、互いに対向するようにして開口内方向に突設されている。そして、両紙幣支持片５１，５２の長手方向の端縁に傾斜部５１ａと５２ａとが形成されている。この傾斜部５１ａと５２ａは、対向する側が台形の短辺となるように傾斜している。更に、対向する紙幣支持片５１，５２の上下方向の高さは、上枠縁側の紙幣支持片５１に対して，下枠縁側の紙幣支持片５２の方が高い値に設定されている。このため、水平搬送機構３により、紙幣Ｍが傾斜して、先端や後端が浮いた状態で収納待機部４に搬送された場合であっても、紙幣の浮いた方の端部が紙幣収納部７側に入り込み、収納部側筐体Ｂなどに引っ掛かり、スタッカー６の作動時に紙幣を損傷したりするようなことが生じる恐れがない。しかも、紙幣支持片５１，５２の両端が傾斜（結果的に切り込みが形成されることになる。）しているため、紙幣の先端が取り残され、惹いては、紙幣支持片５１，５２の端部に引っ掛かり損傷するようなことも少なくなる。
【００３３】
スタッカー６は、紙幣Ｍを紙幣収納部７に押し込むためのスタッカープレート６１と、該スタッカープレート６１を出入可能に操作するリンク機構６５と、リンク機構６５を駆動するモータ６６と、スタッカープレート６１とリンク機構６５とを接続する接続プレート６７とを備えている。
【００３４】
該スタッカープレート６１は、図７（ａ）〜（ｃ）に詳述するように、全体として横長の矩形状プレートで、しかも上下の端縁は、平坦で略平行になるように形成されている。この矩形状の寸法は、前述した開口枠５の開口を通過することができ、しかも該開口枠５の開口より若干小さめで概略開口枠５と相似形状に形成されている。そして、このスタッカープレート６１は、大別して、紙幣押圧部６２とガイド片（紙幣搬入側ガイド片６３と端末ガイド片６４）とより構成されている。該紙幣押圧部６２は、スタッカープレート６１の中央部分を構成し、長矩形の平板状を成している。また、ガイド片は、紙幣押圧部６２の巻き込み搬送機構２側端縁に形成された紙幣搬入側ガイド片６３と水平搬送機構３の従動側軸３２側端縁に形成された端末ガイド片６４とより構成されている。
【００３５】
ガイド片の紙幣搬入側ガイド片６３は、紙幣紙幣押圧部６２の上下端縁から水平搬送機構３の駆動側軸３１方向にフォーク状に延設された一対のカバーガイド６３ａと、このカバーガイド６３ａ、６３ａの間に画成された駆動ベルトプーリ３１ｂの配設用空間の紙幣押圧部６２側に、スタッカープレート６１の後方側に折曲形成された切り起し片６３ｂとで構成されている。また、前述のカバーガイド６３ａの駆動側軸３１側先端部には、傾斜面を介して後方側に折曲形成されたカール片６３ｃが形成されている。このカール片６３ｃは、駆動側軸３１から紙幣挿入側に延出され、軸部をカバーしている。このことによって、紙幣Ｍが駆動側軸３１に巻き込まれるのを阻止している。
【００３６】
端末ガイド片６４は、前方に傾斜した傾斜部６４ｂの先端を後方側に折曲形成した折曲片６４ａを有している。この傾斜部６４ｂがあることによって、紙幣Ｍの先端をより前方に導き、紙幣Ｍの先端が従動側軸３２側の巻き込まれるのを防止しているが、傾斜部６４ｂを設けることなく、紙幣押圧部６２の端縁に直接折曲片６４ａを形成しても、紙幣押圧部６２の端縁とストッパーガイド４１が近接しているので、紙幣Ｍは、そのストッパーガイド４１に形成されている遮蔽部４１ａによって、紙幣Ｍの先端をより前方に導き、紙幣Ｍの先端が従動側軸３２側の巻き込まれるのを防止することができる。
【００３７】
該スタッカープレート６１を紙幣収納部７に出入可能に操作するリンク機構６５は支持枠６８で枢支されていて、従来技術と同様に、スタッカープレート６１の裏面に設けられた接続プレート６７に固着されたクランクプレート６５ａと該クランクプレート６５ａに往復動力を伝達するクランクアーム６５ｂと該クランクアーム６５ｂに回転動力を付与する駆動モータ６６を備えている。
【００３８】
前述したクランクプレート６５ａは、矩形の板状を成し、一側面の後端側に逆く字形状の長溝６５ｃを形成している。一方、クランクプレート６５ｂは、長矩形の幅狭の板状を成し、一側面の上端部にクランクプレート６５ａに形成されている長溝６５ｃに嵌合する突起６５ｄを形成するとともに、他方の下端部側面に駆動モータ５３との連結部６５ｅを形成している。これらの突起６５ｄを長溝６５ｃに嵌合するとともに連結部６５ｅを駆動モータ６６に接続している。この接続により、駆動モータ６６が回転するとクランクプレート６５ｂが回転し、突起６５ｄが長溝６５ｃ内を摺動し、その摺動によって、クランクプレート６５ａを前進させ、突起６５ｄが逆く字形状の山を越えると逆にクランクプレート６５ａを後退させる。この往復動によってスタッカープレート６１が紙幣搬送側筐体Ａと収納部側筐体Ｂとの間を往復動する。
【００３９】
ここで、図４〜図６を参照してスタッカー６と水平搬送機構３との位置関係を説明する。水平搬送機構３の駆動側軸３１と従動側軸３２は、紙幣搬送側筐体Ａの内部で、開口枠５との間に収納待機部４を画成するように、開口枠５の両垂直縁に対向して軸止されている。このとき、駆動側軸３１と従動側軸３２の各々の上下端部に固着された駆動側軸プーリ３１ａと従動側軸プーリ３２ａとは、開口枠５の上下枠縁から突設された紙幣支持片５１、５２の裏側に隠蔽される位置に配置されている。従って、駆動側軸プーリ３１ａと従動側軸プーリ３２ａに巻架された水平ベルト３３も紙幣支持片５１、５２の裏側に隠蔽されている。
【００４０】
スタッカープレート６１は、開口枠５左右の縁と上下枠縁に突設された紙幣支持片５１、５２の間を通過することができる寸法に形成されている。そして、平坦で略平行になるように形成されている上下の端縁は、上下の駆動側軸プーリ３１ａと上下の従動側軸プーリ３２ａの間に、それらと僅かに離間して配置されている。従って、上下端縁は、水平ベルト３３に対しても略平行である。
【００４１】
また、駆動ベルトプーリ３１ｂは、前述したスタッカープレート６１の長手方向端縁に一体に形成された上下一対の紙幣搬入側ガイド片６３の間に画成された空間に配置されている。併せて、紙幣搬入側ガイド片６３のカール片６３ｃで駆動側軸３１の軸部を遮蔽している。
【００４２】
これらの、駆動側軸プーリ３１ａと従動側軸プーリ３２ａならびに紙幣搬入側ガイド片６３の間に画成された空間に配置されている駆動ベルトプーリ３１ｂは、スタッカープレート６１が最後方に位置している状態で、スタッカープレート６１の前面から僅かに前方（Ｌ分）に突出している。従って、駆動側軸プーリ３１ａと従動側軸プーリ３２ａに巻架されている水平ベルト３３もスタッカープレート６１より前方に位置していることになる。
【００４３】
次に、収納部側筐体Ｂ側の構成について図１〜図３を参照して説明する。この収納部側筐体Ｂは、大別して、機構収納部筐体Ｂ１と収納部筐体Ｂ２より構成され、機構収納部筐体Ｂ１に上面後部に、前述した紙幣搬送側筐体Ａを載置するとともにその前方に収納部筐体Ｂ２を載置している。即ち、収納部筐体Ｂ２は、横長の矩形箱形状をなしている紙幣搬送側筐体Ａの前板ａ６の一部（長手方向３／４ほど）を後板ａ１側に落とし込んで形成した収納部側筐体Ｂとの接続部（開口枠５）に、この収納部筐体Ｂ２に形成されている開口を一致させるようにして配置されている。
【００４４】
機構収納部筐体Ｂ１は、略矩形状の箱状に形成されている。そして、前述したように、上面後部に紙幣搬送側筐体Ａを載置するとともに該紙幣搬送側筐体Ａの前方に収納部筐体Ｂ２を載置している。そして、内部に紙幣収納部７に収納された紙幣の収納量を調節するための収納量調整機構８と紙幣搬送側筐体Ａに配設された紙幣取り込手段などを駆動するための駆動機構であるモータ（図示しない）が配設されている。
【００４５】
収納量調整機構８は、紙幣収納部７の内部を前後に可動する可動支持片８１と、この可動支持片８１を固着支持するスライダー８２と、このスライダー８２を摺動可能に軸止する一対の摺動竿８３と、前述した可動支持片８１を常に後方に付勢している渦巻ばね（ぜんまい）８４と、紙幣収納部７に収納された紙幣の量（満杯）を検出するセンサ８５を備えている。
【００４６】
可動支持片８１は、紙幣収納部７の内部に配置された本体部分８１ａと取付部８１ｂとより構成されている。この取付部８１ｂは、機構収納部筐体Ｂ１と収納部筐体Ｂ２との載置部分に前後方向に形成された長溝７１から機構収納部筐体Ｂ１の内部に突出され、機構収納部筐体Ｂ１内のスライダー８２に固着されている。また、スライダー８２は、機構収納部筐体Ｂ１の前後で軸止されている摺動竿８３に摺動可能に配設されている。更に、可動支持片８１の取付部８１ｂは、機構収納部筐体Ｂ１内で前述したスタッカー６のリンク機構６５の下側に配設された渦巻ばね（ぜんまい）８４と連結されていて、可動支持片８１を常に後方に付勢されている。従って、可動支持片８１を支持しているスライダー８２もまた同様に常に後方に付勢されている。尚、センサ８５は、摺動竿８３の先端側の側方に配設され、スライダー８２がその位置に到達したとき作動する。このときが紙幣収納部７に収納された紙幣が収納量の限界に達したときである。
【００４７】
一方、巻き込み搬送機構２に設けられた紙幣送り軸２２の近傍には、紙幣Ｍの通過を確認するセンサ２４が配設されている。このセンサ２４は、紙幣Ｍが紙幣送り軸２２を通過したか否かを確認するもので、紙幣Ｍの枚数、機構の作動状態などを検出した結果を外部に知らせる装置である。そして、通過後一定時間経過した時にスタカー５を作動させるように設定してある。
【００４８】
次に、本発明の紙幣処理装置１００内に取り込まれた紙幣Ｍの流れについて説明する。まず、紙幣搬送装置９が作動すると、機構収納部筐体Ｂ１に配設されている駆動機構（図示しない）が作動して紙幣搬送手段２に固着されているモータプーリ２１ａを介して駆動伝達軸２１を回転させる。この駆動伝達軸２１と同時に同軸に固着されている駆動伝達プーリ２１ｂも回転する。この回転に伴って、駆動伝達プーリ２１ｂと巻き込みベルト２３で連結されているところの、紙幣取り込手段１の引き込みローラ１２とその軸１３ならびに水平搬送機構３の駆動側軸３１とが回転する。同時に、巻き込みベルト２３に圧接している紙送りガイドローラ２２ａも回転して紙幣送り軸２２を回転させる。また、駆動側軸３１の回転に伴って、水平ベルト３３で接続されている水平搬送機構３の従動側軸３２も回転する。即ち、紙幣搬送側筐体Ａ内に配設されている紙幣搬送のための機構が作動する。
【００４９】
これらの機構が作動することによって、紙幣搬送装置９３で搬送され、紙幣取り込手段１の紙幣取入口１１から取り込まれた紙幣は、まず、紙幣取り込ガイド１４上を滑降して、巻き込みベルト２３に接蝕しながらガイドローラ１６と巻き込みベルト２３の間に取り込まれる。そして、紙幣ガイド１５と駆動伝達プーリ２１ｂに巻架されている巻き込みベルト２３とに挟持されながら紙幣送り軸２２方向に搬送される。このとき、紙幣送り軸２２は、巻き込みベルト２３を後方（紙幣取入口１１の方向）に撓ませるように紙幣搬送側筐体Ａに軸止されているので、紙幣Ｍは、巻き込みベルト２３と紙送りガイドローラ２２ａならびに紙送りローラ２２ｂの間に強く圧接された状態で水平搬送機構３の駆動側軸３１に送り込まれる。このように、強く後方に圧接することによって、確実に紙幣を搬送させることができ、しかも、センサ２４に確実に接触して正確に検出される。
【００５０】
水平搬送機構３の駆動側軸３１に送り込まれた紙幣Ｍは、紙幣送り軸２２が巻き込みベルト２３を後方に撓ませるような位置にして紙幣搬送側筐体Ａに軸止されている関係上、水平搬送機構３の駆動側軸３１側の斜め前方方向に強く押出される。しかも、押出された紙幣Ｍを受ける駆動側軸３１も、その駆動側軸３１が固着されている駆動側軸プーリ３１ａならびに駆動ベルトプーリ３１ｂがスタッカープレート６１より前方に僅かに突出しているので、結果的に、紙幣Ｍを紙送りガイドローラ２２ａならびに紙送りローラ２２ｂと駆動側軸プーリ３１ａならびに駆動ベルトプーリ３１ｂとで相反する方向に応力を加えていることになり、挟持していることと同じ状況になる。従って、紙幣Ｍは、紙幣送り軸２２の固着されている紙送りガイドローラ２２ａと紙送りローラ２２ｂで押出され確実に水平搬送機構３に送られて、収納待機部４の内部に搬送される。
【００５１】
収納待機部４の内部に搬送された紙幣Ｍは、紙送りガイドローラ２２ａならびに紙送りローラ２２ｂから離間すると、駆動側軸プーリ３１ａならびに駆動ベルトプーリ３１ｂとの位置関係で、巻き込みベルト２３から離反して、収納待機部４の前方方向に反発する。そして、水平ベルト３３によって、水平ベルト３３の回転方向、即ち、収納待機部４の従動側軸３２方向に搬送される。このとき、搬送された紙幣Ｍが，次に搬送されてくる紙幣Ｍと充分な間隔が取られている場合には、紙幣Ｍは、水平ベルト３３から離間して収納待機部４の内部に待機され、スタッカー６によって、開口枠５から紙幣収納部７に押し込まれる。
【００５２】
次に、紙幣Ｍが、紙送りガイドローラ２２ａならびに紙送りローラ２２ｂから斜めの状態や折跡がついた状態など悪条件下で駆動側軸プーリ３１ａならびに駆動ベルトプーリ３１ｂに送り込まれた場合であっても、水平搬送機構３の駆動側軸３１は、スタッカープレート６１の紙幣搬入側ガイド片６３で紙幣搬入側を遮蔽されているので、紙幣の先端角部や折れ曲がった部分が駆動側軸３１の回転に連れ回りされ、水平搬送機構３の裏面方向に引き込まれて損傷するようなこともない。また、駆動側軸３１の固着されている駆動側軸プーリ３１ａも、スタッカープレート６１の上下の端縁に対して、僅かに離間した状態で、、スタッカープレート６１の端縁と平行に配置されている一方、紙幣の搬送方向にスタッカープレート６１の切欠なども存在しないので、紙幣Ｍが紙幣の先端角部や折れ曲がった部分が駆動側軸プーリ３１ａとスタッカープレート６１の上下の端縁との間に引き込まれることなくスムースに紙幣が搬送される。
【００５３】
更に、スタッカープレート６１に対して、駆動側軸プーリ３１ａと駆動ベルトプーリ３１ｂならびに従動側軸プーリ３２ａおよび水平ベルト３３が前方に突出しているので、スタッカープレート６１と搬送される紙幣Ｍとの接触部分が少なくより紙幣Ｍが他の部分に引っ掛かり、紙幣Ｍが詰まったり、損傷したりすることも少ない。
【００５４】
次に、紙幣Ｍが連続して送り込まれた場合について説明する。一般に紙幣搬送装置９には、複数の遊技者が同時に紙幣Ｍを投入することがあり、この場合には、紙幣Ｍが紙幣搬送装置９で連続して搬送されてくる。この場合には、紙幣Ｍは、一旦、収納待機部４の内部に積層待機され、搬送されてくる紙幣Ｍの流れが切れたときにスタッカー６を作動させ、紙幣Ｍを紙幣収納部７に押し込む。
【００５５】
このように、紙幣Mが連続して取り込まれ、水平搬送機構３に搬送されてきた場合には、紙幣送り軸２２が巻き込みベルト２３を後方に撓ませるような位置に軸止されている反面、水平搬送機構３の駆動側軸３１に固着されている駆動側軸プーリ３１ａならびに駆動ベルトプーリ３１ｂをスタッカープレート６１より前方、即ち、水平ベルト３３をスタッカープレート６１より前方（Ｌ分）に僅かに突出して配置しているので、紙幣Ｍが紙送りガイドローラ２２ａならびに紙送りローラ２２ｂから押出されると、紙幣Mは、水平ベルト３３からすばやく離間して、前方に反発移動する。このため、紙幣Mと水平ベルト３３との間に僅かに隙間が形成され、その部分に次の紙幣Mが入り込んで収納待機部４に積層されるので、紙幣Mが連続して搬送されてきても紙幣Mが詰まるようなことがない。
【００５６】
また、水平搬送機構３により、紙幣Mが先端（従動側軸３２方向）まで搬送されたときには、紙幣Mの先端は、スタッカープレート６１に形成されている端末ガイド片６４の傾斜面に沿って開口枠５方向に導かれるので、従動側軸３２に巻き込まれることは無い。
【００５７】
またセンサ２４で、紙幣Ｍが連続して搬送されてこない状態、即ち、スタッカー６が作動しても無理が生じない状態が検出されると、検出された信号をリンク機構６５側に送信して、リンク機構６５を作動させ、スタッカー６を前方に押出して収納待機部４の内部に複数枚積層待機されている紙幣Mを紙幣収納部７に押し込む。
【００５８】
紙幣収納部７内の押し込まれた紙幣Ｍは、収納量調整機構８の可動支持片８１と、開口枠５の紙幣支持片（上端縁）４１、紙幣支持片（下端縁）４２との間に挟持される。この動作を繰り返すことによって、紙幣Ｍが順次、可動支持片８１と、開口枠５の紙幣支持片（上端縁）４１、紙幣支持片（下端縁）４２との間に積層されていく。このとき、可動支持片８１を付勢しているばねが渦巻ばね（ぜんまい）５４で構成されているため紙幣Ｍの積層量が増加しても付勢力にほとんど変化が生じないので、紙幣Ｍが満杯となり店員が取り出す場合には容易に取り出すことができる。また、紙幣Mが満杯になったときには、センサ８５でその状態を検出し、次に搬送されてくる紙幣Mを収納待機部４の内部に待機させる。この待機される紙幣は、概ね１０〜２０枚程度である。
【図面の簡単な説明】
【００５９】
【図１】本発明の紙幣処理装置を示した正面図である。
【図２】本発明の紙幣処理装置を示した上面図である。
【図３】図１の右側面図である。
【図４】本発明の要部を示した正面図である。
【図５】本発明の要部を示した上面図である。
【図６】本発明の要部を示した右側面図である。
【図７】（ａ）は、スタッカープレートを示した正面図、（ｂ）は、同上面図、（ｃ）は、同右側面図である。
【図８】スタッカーを示した概略斜視図である。
【図９】本発明の紙幣処理装置の取付け状態を示した概略説明図である。
【符号の説明】
【００６０】
１００  紙幣処理装置
Ａ  紙幣搬送側筐体
ａ１  後板
ａ２  天板
ａ３  底板
ａ４  左側板
ａ５  右側板
ａ６  前板
１  紙幣取り込手段
１１  紙幣取入口
１２  引き込みローラ
１３  軸
１４  紙幣取り込ガイド（引き込みローラ側）
１５  紙幣ガイド
１６  ガイドローラ
（紙幣搬送手段）
２  巻き込み搬送機構
２１  駆動伝達軸
２１ａ  モータプーリ
２１ｂ  駆動伝達プーリ
２２  紙幣送り軸
２２ａ  紙送りガイドローラ
２２ｂ  紙送りローラ
２３  巻き込みベルト
２４  センサ
３  水平搬送機構
３１  駆動側軸
３１ａ  駆動側軸プーリ
３１ｂ  駆動ベルトプーリ
３２  従動側軸
３２ａ  従動側軸プーリ
３３  水平ベルト
４  収納待機部
４１  ストッパーガイド
４１ａ  遮蔽部
４１ｂ  取付部
５  開口枠
５１  紙幣支持片（上枠縁）
５１ａ  傾斜部
５２  紙幣支持片（下枠縁）
５２ａ  傾斜部
６  スタッカー
６１  スタッカープレート
６２  紙幣押圧部
６３  紙幣搬入側ガイド片
６３ａ  カバーガイド
６３ｂ  切り起し片
６３ｃ  カール片
６４  端末ガイド片
６４ａ  折曲片（端末ガイド側）
６４ｂ  傾斜部
６５  リンク機構
６５ａ  クランクプレート
６５ｂ  クランクアーム
６５ｃ  長溝
６５ｄ  突起
６５ｅ  連結部
６６  モータ
６７  接続プレート
６８  支持枠
Ｂ  収納部側筐体
Ｂ１  機構収納部筐体
Ｂ２  収納部筐体
７  紙幣収納部
７１  長溝
８  収納量調整機構
８１  可動支持片
８１ａ  本体部分
８１ｂ  取付部
８２  スライダー
８３  摺動竿
８４  渦巻ばね（ぜんまい）
８５  センサ
９  遊技機島
９１  遊技機
９２  遊技媒体貸
９３  紙幣搬送装置
９４  紙幣識別装置
９５  カバー
Ｍ  紙幣
Ｌ  スタッカープレートから水平ベルト突出している量
【図１】
2008129753.tif 000003
【図２】
2008129753.tif 000004
【図３】
2008129753.tif 000005
【図４】
2008129753.tif 000006
【図５】
2008129753.tif 000007
【図６】
2008129753.tif 000008
【図７】
2008129753.tif 000009
【図８】
2008129753.tif 000010
【図９】
2008129753.tif 000011